(57)【要約】【課題】過去に放送された番組に関する情報を表示可能なＥＰＧ機能を備えたディジタル放送受信装置において、ＥＰＧの利便性を向上するとともに、ＥＰＧを利用する際の操作性を改善できる技術を提供する。【解決手段】ディジタル放送受信装置において、番組情報の取得状況を放送局ごとに日時単位で管理する番組情報管理手段を備え、この番組情報管理手段により把握されている番組情報の取得状況のうち、所定期間の取得状況を視認可能な状態でＥＰＧに表示させるようにした。【選択図】図３
2008199343.tif 000002
【特許請求の範囲】
【請求項１】
ディジタル放送信号に含まれる番組情報を取得する番組情報取得手段と、
前記番組情報取得手段によって取得された番組情報を記録可能な記憶手段と、
前記番組情報取得手段によって取得された番組情報または前記記憶手段に記録された番組情報に基づいて、放送局ごとに番組コンテンツに関する情報を時系列に従って並べた番組表を含む電子番組ガイドデータを生成するＥＰＧ生成手段と、
前記ＥＰＧ生成手段により生成される電子番組ガイドの表示制御を行うＥＰＧ表示制御手段と、
前記番組表に表示させる放送日時を指定可能な放送日時指定手段と、
を備えたディジタル放送受信装置において、
さらに、前記記憶手段に記録された番組情報の取得状況を放送局ごとに日時単位で管理する番組情報管理手段を備え、
前記放送日時指定手段は、所定期間過去または未来の放送日を単一操作で指定可能な操作手段を有し、
前記ＥＰＧ表示制御手段は、前記番組情報管理手段により把握されている特定の放送局の番組情報の取得状況のうち、所定期間の取得状況を視認可能な状態で前記電子番組ガイドに表示させるとともに、
前記放送日時指定手段により指定された放送日に対応する番組情報が前記記憶手段に記録されていない場合には、当該放送日の番組表を前記電子番組ガイドに表示させず、番組表が更新されない旨を表示させることを特徴とするディジタル放送受信装置。
【請求項２】
ディジタル放送信号に含まれる番組情報を取得する番組情報取得手段と、
前記番組情報取得手段によって取得された番組情報を記録可能な記憶手段と、
前記番組情報取得手段によって取得された番組情報または前記記憶手段に記録された番組情報に基づいて、放送局ごとに番組コンテンツに関する情報を時系列に従って並べた番組表を含む電子番組ガイドデータを生成するＥＰＧ生成手段と、
前記ＥＰＧ生成手段により生成される電子番組ガイドの表示制御を行うＥＰＧ表示制御手段と、
前記番組表に表示させる放送日時を指定可能な放送日時指定手段と、
を備えたディジタル放送受信装置において、
さらに、前記記憶手段に記録された番組情報の取得状況を日時単位で管理する番組情報管理手段を備え、
前記ＥＰＧ表示制御手段は、前記番組情報管理手段により把握されている番組情報の取得状況のうち、所定期間の取得状況を視認可能な状態で前記電子番組ガイドに表示させることを特徴とするディジタル放送受信装置。
【請求項３】
前記番組情報管理手段は、前記記憶手段に記録された番組情報の取得状況を放送局ごとに管理し、
前記ＥＰＧ表示制御手段は、特定の放送局の番組情報の取得状況を電子番組ガイドに表示させることを特徴とする請求項２に記載のディジタル放送受信装置。
【請求項４】
前記放送日時指定手段は、所定期間過去または未来の放送日を単一操作で指定可能な操作手段を有することを特徴とする請求項２または３に記載のディジタル放送受信装置。
【請求項５】
前記ＥＰＧ表示制御手段は、前記放送日時指定手段により指定された放送日に対応する番組情報が前記記憶手段に記録されていない場合には、当該放送日の番組表を前記電子番組ガイドに表示させないことを特徴とする請求項２から４のいずれか一項に記載のディジタル放送受信装置。
【請求項６】
前記ＥＰＧ表示制御手段は、前記放送日時指定手段により指定された放送日に対応する番組情報が前記記憶手段に記録されていない場合には、前記電子番組ガイド内の番組表が更新されない旨を表示させることを特徴とする請求項５に記載のディジタル放送受信装置。
【発明の詳細な説明】
【技術分野】
【０００１】
本発明は、ディジタル放送信号を受信可能で、放送信号に含まれる番組情報に基づいて電子番組ガイドを提示可能なディジタル放送受信装置に関し、特に、電子番組ガイドの利便性を改善したディジタル放送受信装置に関する。
【背景技術】
【０００２】
近年、ディジタル技術の発達によりテレビジョン放送の分野でもディジタル化が急速に進み、例えば、ＣＳディジタル放送、ＢＳディジタル放送、地上ディジタル放送が実用化されている。このディジタル放送では、アナログ放送よりも簡単かつ効率的にデータを圧縮できることから、多チャンネル化（例えば、ＣＳディジタル放送では２００チャンネル以上）、高品質化（ハイビジョン放送）、高機能化（データ放送（双方向通信サービス））の実現が期待される。
【０００３】
また、テレビジョン放送受像機やセット・トップ・ボックス（ＳＴＢ）、大容量ＨＤＤレコーダ等の最近の放送受信装置は、ＥＰＧ（Electronic Program Guide）と呼ばれる電子番組ガイド機能を具備している。このＥＰＧは、ディジタル／アナログ放送信号に含まれる番組情報に基づいて生成され、例えば、番組タイトルや簡単な番組内容等の番組に関する情報を番組表として視聴者に提示するものである。ここで、ディジタル／アナログ放送信号に含まれる番組情報としては、例えば、番組タイトル、放送日時、チャンネル、出演者、ジャンル等がある。特に、ディジタル放送では、ディジタル放送信号に乗せて常に番組情報を送信できるため、正確かつ詳細な番組情報をリアルタイムで提供することができる。
【０００４】
利用者は、このＥＰＧを利用することで、その時刻に放送されている番組を選択（選局）して視聴したり、放送予定の番組については簡単に視聴予約や録画予約をしたりすることができる。さらに、ＥＰＧを利用して、「ニュース」「スポーツ」「映画」などのジャンル別の番組検索や、出演者等のキーワードによる番組検索が可能となっている。
【０００５】
しかしながら、従来のディジタル放送受信装置が具備するＥＰＧ機能には根本的な問題があった。すなわち、新聞や雑誌のラジオ・テレビ欄（いわゆるラテ欄）による番組の情報提供には限界があるため、多チャンネル化に伴いラテ欄に代わってＥＰＧが普及してきたにも関わらず、ラテ欄と同様に扱うことができないという点である。
【０００６】
具体的には、放送局側は、放送前の番組について事前情報を公開することを主目的とするため、例えば、現在から１週間先までの合計８日間分の番組について番組情報を提供する。そして、従来のディジタル放送受信装置においては、放送局から提供される番組情報が更新されると放送終了分の番組情報は削除されることとなるので、過去に放送された番組の情報がＥＰＧに表示されることはない。
【０００７】
そのため、ＥＰＧを利用して、例えば、１週間前の番組等、過去に放送された番組に関する情報を入手することはできなかった。また、視聴し忘れた番組の検索や、再放送番組の視聴／録画予約に過去のＥＰＧを活用することもできなかった。
【０００８】
そこで、過去に放送された番組の情報を閲覧できるようにしたＥＰＧに関する技術が提案されている（例えば、特許文献１〜４）。また、特許文献１には、ＥＰＧ表示部の下部に、前日ボタン、翌日ボタンを設け、指定した放送日に対応する番組表が表示されることが開示されている。
【０００９】
また、番組表によって番組の詳細情報を提示するＥＰＧとは別に、この番組表に表示させる日時を簡単に指定可能な曜日ＥＰＧを備えるようにした技術が開示されている（例えば、特許文献５）。
【特許文献１】特開２００３−２１９１９６号公報
【特許文献２】特開２００２−３３５４６３号公報
【特許文献３】特開２００２−０４４５５５号公報
【特許文献４】特開２００１−１８６４２９号公報
【特許文献５】特開２００１−２４５２３３号公報
【発明の開示】
【発明が解決しようとする課題】
【００１０】
ところで、地上ディジタル放送では、ＥＰＧに利用される番組情報は放送局ごとに提供され、自局の番組情報は自局の放送波からしか取得できないようになっている。つまり、ディジタル放送受信装置では、受信したチャンネルの番組の情報しかＥＰＧとして表示することはできない。すなわち、利用者が所定の期間まったく視聴しなかったチャンネルについては番組の情報は表示されない（例えば、空欄となる）こととなる。また、ディジタル放送受信装置で受信されたチャンネルであっても、受信時の電波状態等により番組情報を正常に取得できず、ＥＰＧが正しく更新されない場合もある。
【００１１】
したがって、上記特許文献に記載の技術によれば、過去に放送された番組の詳細情報を、ＥＰＧを利用して入手することはできるが、入手しようとする番組の情報がない場合も在りうる。つまり、所望の日時のＥＰＧを表示させようと試みる場合、例えば、特許文献１に記載されている「前日ボタン」を繰り返し操作して所望の日時を選択することとなるが、その日のＥＰＧが正しく表示されない（例えば、放送局又は時間帯によって空欄となっている）ときには、利用者の日時指定の操作は無駄になってしまう。
【００１２】
このように、上記特許文献に記載の技術では、過去に放送された番組の情報をＥＰＧに表示することは可能であるが、利便性に優れているとはいえない面がある。また、ＥＰＧを利用して過去に放送された番組の情報を検索できるようになると、検索対象となる情報量は格段に増加するので、より効率よく検索できるようにする必要がある。
【００１３】
また、従来のディジタル放送受信装置では、リモコン装置にＥＰＧ専用の操作ボタンは設けられていないので、ＥＰＧにおいて表示し得る情報量が増えた場合にリモコン装置による操作性が悪化する虞がある。
【００１４】
本発明は、過去に放送された番組に関する情報を表示可能なＥＰＧ機能を備えたディジタル放送受信装置において、ＥＰＧの利便性を向上するとともに、ＥＰＧを利用する際の操作性を改善できる技術を提供することを目的とする。
【課題を解決するための手段】
【００１５】
本発明は、上記目的を達成するため、ディジタル放送信号に含まれる番組情報を取得する番組情報取得手段と、前記番組情報取得手段によって取得された番組情報を記録可能な記憶手段と、前記番組情報取得手段によって取得された番組情報または前記記憶手段に記録された番組情報に基づいて、放送局ごとに番組コンテンツに関する情報を時系列に従って並べた番組表を含む電子番組ガイドデータを生成するＥＰＧ生成手段と、前記ＥＰＧ生成手段により生成される電子番組ガイドの表示制御を行うＥＰＧ表示制御手段と、前記電子番組ガイドに表示させる放送日時を指定可能な放送日時指定手段と、を備えたディジタル放送受信装置において、さらに、前記記憶手段に記録された番組情報の取得状況を日時単位で管理する番組情報管理手段を備え、前記ＥＰＧ表示制御手段は、前記番組情報管理手段により把握されている番組情報の取得状況のうち、所定期間（例えば、現在±７日）の取得状況を視認可能な状態で前記電子番組ガイドに表示させることを特徴とする。
【００１６】
例えば、ＥＰＧ上に、放送日時を指定するための放送日枠を設け、この放送日枠を所定の日数で分割し、分割された領域を放送日ごとに割り当て、それぞれの領域において取得状況（例えば、全部取得、一部取得、全部未取得）に応じた所定の表示（強調表示等）を行うようにする。
【００１７】
これにより、記憶手段に記録された番組情報に基づいて、過去に放送された番組に関するＥＰＧを生成・表示可能となる上、地上ディジタル放送のように放送局ごとに番組情報が提供され、必ずしもすべての放送局の番組情報が取得されない場合でも、番組情報の取得状況を容易に認識することができる。
【００１８】
なお、番組の放送が在るにもかかわらず番組情報を取得していない場合と、深夜等、そもそも番組の放送自体がない場合は区別する。つまり、例えば放送がない時間帯の番組情報だけがない場合（記憶媒体に記録されていない場合）は、全部取得と判断する。
【００１９】
また、番組情報管理手段は、前記記憶手段に記録された番組情報の取得状況を放送局ごとに管理し、ＥＰＧ表示制御手段は、特定の放送局（例えば、ＥＰＧ上でフォーカスされている番組を提供している放送局）の番組情報の取得状況を電子番組ガイドに表示させるようにした。これにより、利用者は、例えば、フォーカスされている放送局の過去又は未来の番組情報の取得状況を容易に認識することができるので、特定の番組に関する情報を入手したい場合に電子番組ガイドを効率よく利用することができる。
【００２０】
さらに、放送日時指定手段は、所定期間（例えば、１日や１週間）過去又は未来の放送日を単一操作で指定できる操作手段を有するようにした。例えば、リモコン装置に、専用ボタン（１週間前（過去）ボタン、１週間後（未来）ボタン等）を設け、ＥＰＧにおいて現在フォーカスされている番組の放送日時を基準として、一週間前や一週間後の放送日にジャンプできるようにする。これにより、ＥＰＧにおいて表示可能となる日数が増えるため検索対象となる番組の情報量が増加することが懸念されるが、例えば、毎週放送される番組に関する情報を効率よく入手することができるので、ＥＰＧの利便性が損なわれるのを回避できる。
【００２１】
また、ＥＰＧ表示制御手段は、放送日時指定手段により指定された放送日に対応する番組情報が前記記憶媒体に記録されていない場合（例えば、番組情報の未取得日）には、当該放送日の番組表を前記電子番組ガイドに表示させないようにした。
【００２２】
このとき、現在を基準として指定放送日よりもさらに前（過去）または後（未来）の放送日の番組情報がある場合は、その放送日の番組表をＥＰＧに表示させるようにしてもよい。また、番組情報が一部取得されている場合であって、番組表示させる時間帯の番組表がない場合に、表示させる時間帯を前後させるようにしてもよい。これにより、番組表が正しく表示されず（例えば、空欄となっている）、利用者の操作が無駄になるという問題を解消できる。
【００２３】
さらに、ＥＰＧ表示制御手段は、放送日時指定手段により指定された放送日に対応する番組情報が前記記憶手段に記録されていない場合には、前記電子番組ガイド内の番組表が更新されない旨を表示するようにした。これにより、電子番組ガイドが更新されないことに対して、利用者が装置の故障や誤操作を疑うのを回避できる。例えば、電子番組ガイドにＯＳＤによりメッセージを表示することで視認効果を向上させることもできる。
【発明の効果】
【００２４】
本発明によれば、ディジタル放送受信装置において、過去に放送された番組の情報を番組表に表示させることができ、新聞や雑誌のラテ欄と同様な扱いが可能となる上、番組情報の取得状況を放送局ごとに日時単位で管理する番組情報管理手段を備え、この番組情報管理手段により把握されている番組情報の取得状況のうち、所定期間の取得状況を視認可能な状態でＥＰＧに表示させるようにしたので、ＥＰＧに表示させたい日時の番組情報の有無を事前に確認できる。したがって、番組情報が取得されていないためにＥＰＧが正しく表示されず日時指定の操作が無駄になるのを防止できる。
【発明を実施するための最良の形態】
【００２５】
以下、本発明の実施の形態を図面に基づいて説明する。
図１は、本発明に係るディジタル放送受信装置としてのＨＤＤレコーダ１０の全体構成を示すブロック図である。なお、図１において、実線の矢印は各種情報の流れを示し、点線の矢印は制御信号の流れを示している。
【００２６】
本実施形態のＨＤＤレコーダ１０は、アンテナ１１と、受信部（チューナ）１２と、信号復調部１３と、データ分離部１４と、デコード部１５と、ＥＰＧ生成部１６と、多重化部（ＯＳＤ部）１７と、番組情報記憶部（例えば、フラッシュメモリ）１８と、番組コンテンツ記憶部（例えば、ハードディスク）１９と、入力部２０と、制御部２１と、を備えて構成される。
【００２７】
具体的には、受信部１２は、アンテナ１１を介してディジタル放送信号（例えば、地上ディジタル放送、ＢＳディジタル放送、ＣＳディジタル放送）を選択的に受信可能なチューナである。なお、ディジタル放送信号には、例えば、地上波に合わせる形で現在より以降の８日分の番組情報が含まれるものとするが、８日分を超える番組情報が含まれる場合（例えば、ＢＳディジタル放送）にも適用できる。信号復調部１３は、受信部１２で受信した放送信号を復調する。
【００２８】
データ分離部１３は、信号復調部１３で復調された放送信号を、番組のコンテンツ情報（映像データおよび音声データ）と番組情報とに分離する。分離されたコンテンツ情報はデコード部１５に供給されるとともに、録画予約されていた場合には番組コンテンツ記憶部１９に記録される。一方、分離された番組情報はＥＰＧ生成部１６に供給されるとともに、番組情報記憶部１８に記録される。
【００２９】
上記受信部１２、信号復調部１３、およびデータ分離部１４等で、ディジタル放送信号に含まれる番組情報を取得する番組情報取得手段が構成される。
【００３０】
また、デコード部１５は、データ分離部１４又は番組コンテンツ記憶部１９から供給されたコンテンツ情報を複合化して映像信号および音声信号を生成する。
【００３１】
ＥＰＧ生成部１６は、データ分離部１４および番組情報記憶部１８から供給された番組情報に基づいて、放送局ごとに番組コンテンツに関する情報を時系列に従って並べた電子番組ガイド（以下、ＥＰＧと称する）データを生成する（ＥＰＧ生成手段）。また、後述する入力部２０によって表示させるＥＰＧの日時が指定された場合には、指定された放送日時に対応する番組情報に基づいてＥＰＧデータを生成することができる。
【００３２】
多重化部１７は、デコード部１５やＥＰＧ生成部１６からの表示信号を選択的に出力したり、多重化して出力したりする。
【００３３】
番組情報記憶部１８には、データ分離部１４で分離された番組情報が記録される（記憶手段）。例えば、番組情報として、番組名、番組内容、番組ＩＤ（イベントＩＤ）、開始時刻、継続時間、ジャンル区分などの情報が、放送局（チャンネルＮｏ．）ごとに日単位で格納される。このとき、例えば、１日分の番組情報が全て格納されているか、一部の番組情報が格納されているか、或いは番組情報は全く格納されていないかを区別するための情報（取得状況）を記録しておく。
【００３４】
なお、ディジタル放送信号から番組情報が取得されたときに、番組情報記憶部１８において、取得日時＋以降の７日分の番組情報は更新されるが、取得日時以前の番組情報は最新のものが保持されることとなる。
【００３５】
番組コンテンツ記憶部１９には、録画された番組のコンテンツ情報が記録されており、記録されたコンテンツ情報は再生時に読み出されてデコード部１５に供給される。なお、録画機能を具備しないテレビジョン受像機やＳＴＢでは、番組コンテンツ記憶部１９は省略される。
【００３６】
入力部２０は、例えば、複数の操作ボタンを備えたリモコン装置や本体に設けられた操作パネルであり、この入力部２０からの入力信号に基づいて、チャンネル変更や音量調整、ＥＰＧにおけるカーソルの移動や視聴／録画予約などの所定の処理が実行される。また、ＥＰＧが表示された状態で、リモコン装置２０の所定の操作ボタンを操作することにより、ＥＰＧに表示させる日時を指定することができる（放送日時指定手段）。
【００３７】
制御部２１は、例えば、入力部２０からの入力信号に基づいて、図示しないＲＯＭに格納されている制御プログラム等を実行し、ＨＤＤレコーダ１０の各ブロックを駆動制御する。具体的には、録画時にコンテンツ情報を番組コンテンツ記憶部１９に書き込んだり、視聴／再生時に放送信号又は番組コンテンツ記憶部１９からのコンテンツ情報に基づく映像・音声信号を出力させたりする。
【００３８】
また、制御部２１は、ＥＰＧ生成部１６により生成されるＥＰＧの表示制御を行う（ＥＰＧ表示制御手段）。例えば、利用者によりＥＰＧを表示させる操作（リモコン装置２０のＥＰＧボタン２０３の入力操作）が行われると、ＥＰＧ生成部１６に所定のフォーマットのＥＰＧを生成させる。
【００３９】
さらに、制御部２１は、番組情報記憶部１８に記録された取得状況を放送日ごとに日単位で管理する（番組情報管理手段）。例えば、受信された放送信号からの番組情報を番組情報記憶部に記録する際に、放送日ごとに１日分の番組情報が格納されているかを判定し、放送日に対応して取得状況を記録しておく。取得状況としては、例えば、完全取得、一部取得、未取得の３種類で区分したり、１日２４時間を１００％としたときの割合としたりできる。なお、番組の放送があるにもかかわらす番組情報が取得されていない場合と、深夜等、そもそも番組の放送自体がない場合は区別できるようにし、例えば、後者の場合は便宜上番組情報は取得されているものとして扱うようにしてもよい。
【００４０】
本実施形態に係るＨＤＤレコーダ１０では、指定された放送日に対応する番組情報に基づいてＥＰＧを生成・表示可能で、過去に放送された番組の情報もＥＰＧに表示させることができるので、新聞や雑誌のラテ欄と同様な扱いが可能となる。
【００４１】
図２は、入力部２０としてのリモコン装置の概観図である。
リモコン装置２０は、電源をオン／オフする電源ボタン２０１と、受信するチャンネルを選択する数字ボタン２０２と、ＥＰＧを表示させるＥＰＧ表示ボタン２０３、ＥＰＧ等で１つ前の画面に戻すボタン２０４、音量を調整する音量ボタン２０５と、受信する放送信号の種別（地上波／ＢＳ／ＣＳ等）を選択するボタン２０６と、放送サービス（テレビ放送、ラジオ放送、データ放送）を切り替えたり、文字入力に用いたりするボタン２０７と、画面上で指示が出たときに用いるカラーボタン２０８と、データ放送等に用いるボタン２０９と、ＥＰＧ等でフォーカスを上下左右に移動させる方向ボタン２１０と、選択した項目で決定する決定ボタン２１１と、チャンネル選択に用いるチャンネルボタン２１２と、番組コンテンツの録画再生時に用いるボタン２１３と、ＥＰＧに表示させる放送日を簡単に指定可能な放送日指定ボタン２２０と、を備える。なお、その他、音声切り替えボタンや字幕のオン／オフ切り替えボタン等の所定の機能を実行させるための操作ボタンを設けるようにしてもよい。
【００４２】
従来のＨＤＤレコーダのリモコン装置には、操作ボタン２０１〜２１３に対応する操作ボタンは設けられているが、放送日指定ボタン２２０のようにＥＰＧに表示させる放送日を指定するための専用の操作ボタンは備えていない。
【００４３】
放送日指定ボタン２２０は、具体的には、ＥＰＧにおいて現在フォーカスされている番組の放送日時を基準として、１週間前の放送日のＥＰＧを表示させる１週間前ボタン２２１と、１日前の放送日のＥＰＧを表示させる前日ボタン２２２と、過去または未来のＥＰＧが表示されている場合に現時刻のＥＰＧを表示させる現在ボタン２２３と、１日後の放送日のＥＰＧを表示させる翌日ボタン２２４と、１週間後の放送日のＥＰＧを表示させる１週間後ボタン２２５と、で構成される。
【００４４】
このように、本実施形態では、放送日指定ボタン２２０により、所定期間過去または未来の放送日を単一操作で指定できるようにしている。本実施形態のＨＤＤレコーダ１０は、過去に放送された番組の情報もＥＰＧに表示させることができるため、ＥＰＧにおいて表示可能となる日数が増え検索対象となる番組の情報量が増加するが、１週間前ボタン２２１や１週間後ボタン２２５を利用することにより、例えば、毎週放送される番組に関する情報を効率よく入手することができ、ＥＰＧの利便性が損なわれるのを回避できる。
【００４５】
図３は、本実施形態のＨＤＤレコーダ１０において表示されるＥＰＧの一例であり、１０月２０日の１０：００〜１７：００の時間帯のＥＰＧが表示されている。このＥＰＧは、例えば、リモコン装置２０のＥＰＧ表示ボタン２０３が操作されることに伴い、ＥＰＧ生成部１６で生成され表示される。また、ＥＰＧにおけるフォーカス移動等の表示制御は、ＥＰＧ表示制御手段としての制御部２１によって行われる。
【００４６】
図３に示すＥＰＧは、Ｄ１〜Ｄ４の４つの表示領域で構成される。具体的には、Ｄ１領域には、放送局ごとに番組コンテンツに関する情報が時系列に従って横並びに配置された番組表が表示される。なお、図３では、太枠・斜線による強調表示で、ＫＨＮ１放送の「ニュース１０」にフォーカスが合わされている場合を示している。
【００４７】
リモコン装置２０の方向ボタン２１０を操作して番組表上のフォーカスを移動させ、所望の番組にフォーカスがあった状態で決定ボタン２１１を操作することで、簡単に番組の録画／視聴予約をすることができる。なお、Ｄ１領域の番組表に表示される内容は、リモコン装置２０の方向ボタン２１０等の操作に応じてスクロール表示可能とされる。
【００４８】
Ｄ２領域には、放送日によって１５分割された放送日枠が表示される。この放送日枠の各分割領域には、例えば、現在を中心に過去７日間、未来７日間の計１５日間の放送日が割り当てられる。なお、図３では、太枠・斜線による強調表示で、「当日」にフォーカスが合わされている場合を示している。
【００４９】
リモコン装置２０の放送日指定ボタン２２０を操作して放送日枠上のフォーカスを移動させることで、選択された放送日の番組表をＤ１領域に表示させることができる。なお、表示される番組表の時間帯については特に制限されないが、例えば、現在表示されている時間帯に合わせて表示すればよい。
【００５０】
つまり、図３に示すＥＰＧが表示されている状態で前日ボタン２２２が操作されると、フォーカスは「１０／１９」の分割領域に移動され、１０月１９日の１０：００〜１７：００の時間帯のＥＰＧが表示される。また、図３に示すＥＰＧが表示されている状態で１週間前ボタン２２１が操作されると、フォーカスは「１０／１３」の分割領域に移動され、１０月１３日の１０：００〜１７：００の時間帯のＥＰＧが表示される。
【００５１】
ここで、リモコン装置２０の１週間前ボタン２２１は、当日より未来（図３では、当日〜１０／２７）の番組情報を見ている場合に有効とし、１週間後ボタン２２５の扱いはその逆とする。また、放送日指定ボタン２２０を操作して指定した放送日が放送日枠に含まれない場合（つまり、フォーカスの移動先がない場合）は、小画面などでフォーカスを移動できない旨のメッセージを表示するようにしてもよい。
【００５２】
このように、ＥＰＧ上の放送日枠とリモコン装置２０の放送日指定ボタン２２０を組み合わせて利用することで、１週間前／１週間後の番組表を表示させたり、１週間後の番組の視聴／録画予約を行ったりすることが簡単になるので、番組表の利便性を向上でき利用者の要望に応えることができる。
【００５３】
Ｄ３領域には、Ｄ１領域においてフォーカスされている番組の詳細内容が表示される。例えば、図３ではＤ１領域において「ニュース１０」がフォーカスされているので、その番組名、出演者、番組内容等がＤ３領域に表示される。その他に、番組開始時刻、放送時間、ジャンル等を表示するようにしてもよい。
【００５４】
Ｄ４領域には、表示されているＥＰＧにおいて使用可能な操作ボタンが表示される。つまり、図３に示すＥＰＧでは、リモコン装置２０の当日ボタン２２３、前日ボタン２２２、翌日ボタン２２４、１週間前ボタン２２１、１週間後ボタン２２５、方向ボタン２１０、決定ボタン２１１、戻るボタン２０４、終了ボタン（ＥＰＧ表示ボタン）２０３が使用可能であることを示している。
【００５５】
従来のＨＤＤレコーダにおいて表示されるＥＰＧは、例えば、Ｄ１、Ｄ３、Ｄ４領域に表示される内容で構成される。これに対して、本実施形態では、従来のＥＰＧの構成内容に加えて、Ｄ２領域に放送日指定用の放送日枠を新たに設け、Ｄ１領域に表示されている放送日を視覚的に認識できるとともに、リモコン装置２０に新設した専用ボタン２２０によりＤ１領域に表示させる放送日を簡単に指定できるようにしている。
【００５６】
さらに、Ｄ２領域の放送日枠には、番組情報管理手段としての制御部２１により把握されている番組情報の取得状況が視認可能な状態で表示される。本実施形態では、番組情報管理手段としての制御部２１は、例えば、番組情報の取得状況を、全部取得、一部取得、未取得の３種類に区分して管理し、この３種類の取得状況がＤ２領域の放送日枠に視認可能に表示される。
【００５７】
このとき、放送日枠には、特定の放送局の取得状況を示すようにしている。例えば、Ｄ１領域の番組表上でフォーカスされている番組を提供する放送局について、番組情報の取得状況を放送日枠に表示する。したがって、Ｄ１領域の番組表上で、リモコン装置２０の上下方向ボタン２１０が操作され、フォーカスされている番組を提供する放送局が切り替わると、追従する形で放送日枠の表示も切り替わる。これにより、利用者は、例えば、フォーカスされている放送局の過去または未来の番組情報の取得状況を容易に認識することができるので、特定の番組に関する情報を入手したい場合にＥＰＧを効率よく利用することができる。
【００５８】
具体的には、例えば、放送日枠のそれぞれの分割領域における背景の表示態様によって、番組情報の取得状況を区別できるようにしている。つまり、図３において、「１０／１５」の分割領域の背景は黒塗り表示とされ番組情報が未取得であることを示し、「１０／１７」の分割領域の背景は網掛け表示とされ番組情報一部取得されていることを示す。また、その他の分割領域の背景は白塗り表示とされ番組情報が全部取得されていることを示す。
【００５９】
本実施形態では、上述したように、Ｄ２領域の放送日枠上のフォーカスを移動させることで所望の放送日の番組表をＤ１領域に表示させることができるが、さらに、指定された放送日の番組情報の取得状況によって、当該放送日の番組表の表示制御を行うようにしている。
【００６０】
例えば、ＥＰＧ表示制御手段としての制御部２１は、リモコン装置２０の放送日指定ボタン２２０により指定された放送日に対応する番組情報がない場合には、当該放送日の番組表を表示させないようにする。これにより、番組表が正しく表示されず（例えば、空欄となっている）、利用者の操作が無駄になるという問題を解消できる。
【００６１】
この場合、すなわち、利用者が番組表に表示させる放送日を指定したにもかかわらず当該放送日の番組表を表示させない場合は、番組表が更新されない旨を表示するのが望ましい。これにより、番組表が更新されないことに対して、利用者が装置の故障や誤操作を疑うのを回避できる。例えば、電子番組ガイドにＯＳＤによりメッセージを表示することで視認効果を向上させることもできる。
【００６２】
また、現在または未来の番組については、Ｄ１領域の番組表上でフォーカスされている状態でリモコン装置２０の決定ボタン２１１を操作することで、選択された番組の視聴予約／録画予約が可能となる。
【００６３】
図４は、現在または未来の番組がフォーカスされている状態で決定ボタン２１１が操作されたときに表示される画面の一例である。例えば、図３に示すＥＰＧにサブ画面ＳＤ１が重ねて表示され、選択された番組の内容が表示される。また、番組内容の上方には、視聴予約を実行させるボタンＢ１、録画予約を実行させるボタンＢ２、サブ画面ＳＤ１を消去して元のＥＰＧに戻るボタンＢ３が配置される。なお、図４では、戻るボタンＢ３にフォーカスが合っている状態を示している。
【００６４】
図４に示すサブ画面ＳＤ１において、何れかのボタンＢ１〜Ｂ３にフォーカスを合わせて、リモコン装置２０の決定ボタン２１１を操作することで所定の動作を実行させることができる。
【００６５】
一方、過去の番組については、Ｄ１領域の番組表上でフォーカスされている状態でリモコン装置２０の決定ボタン２１１を操作されても、選択された番組の視聴予約／録画予約はできず、番組内容を確認できるだけである。
【００６６】
図５は、過去の番組がフォーカスされている状態で決定ボタン２１１が操作されたときに表示される画面の一例である。例えば、図３に示すＥＰＧにサブ画面ＳＤ２が重ねて表示され、選択された番組の内容が表示される。また、番組内容の上方には、サブ画面ＳＤ１を消去して元のＥＰＧに戻るボタンＢ３が配置される。つまり、図４の視聴予約ボタンＢ１および録画予約ボタンＢ２は無効化される。
【００６７】
このように、本実施形態に係るＨＤＤレコーダ１０によれば、過去に放送された番組の情報をＥＰＧに表示させることができ、新聞や雑誌のラテ欄と同様な扱いが可能となる上、所定期間の取得状況を視認可能な状態でＥＰＧに表示させるようにしたので、番組表に表示させたい日時の番組情報の有無を事前に確認でき、番組情報が取得されていないために番組表が正しく表示されず日時指定の操作が無駄になるのを防止できる。
【００６８】
以上、本発明者によってなされた発明を実施形態に基づいて具体的に説明したが、本発明は上記実施形態に限定されるものではなく、その要旨を逸脱しない範囲で変更可能である。
【００６９】
上記実施形態では、リモコン装置２０の放送日指定ボタン２２０により指定された放送日に対応する番組情報がない場合には、当該放送日の番組表を表示させないようにしているが、現在を基準として指定放送日よりもさらに前（過去）または後（未来）の放送日の番組情報がある場合は、その放送日のＥＰＧを表示させるようにしてもよい。すなわち、図３において、放送日枠の「１０／１６」がフォーカスされた状態で、リモコン装置２０の前日ボタン２２２が操作された場合、「１０／１５」の番組情報は未取得となっているので表示されないが、さらに前日（１０／１４）の番組情報は取得されているので、フォーカスは「１０／１４」に移動され、この日の番組表を表示させることとなる。
【００７０】
また、上記実施形態では、リモコン装置２０に、放送日指定用の操作ボタン２２０を設けるようにしているが、リモコン装置のカラーボタン２０８などに放送日指定の機能（例えば、１週間前、前日、翌日、１週間後）を割り当てるようにしてもよい。
【００７１】
また、図３のＤ２領域の放送日枠に表示する期間は１５日に制限されない。例えば、過去の番組情報を７日分以上保持するようにして、過去の放送日が指定された場合は、放送日枠をスクロールして可能な限り過去に遡って表示できるようにしてもよい。また、未来の番組情報については７日分に制限されず、ディジタル放送信号に含まれる番組情報の日数に従って番組情報記億部１８に記録されるようにするのが望ましい。
【００７２】
また、番組情報の取得状況は、利用者に視認可能な態様であればよく、例えば、番組情報が未取得である場合は、放送日枠において、その放送日の分割領域自体を透明状態（アンイネイブル）にし、番組情報が一部取得されている場合は淡い色使いなどで表現するようにしてもよい。
【００７３】
さらに、上記実施形態では、番組を視聴する際に受信したディジタル放送信号から番組情報を取得するようにしているが、番組を視聴していないスタンバイ中にも番組情報を取得するようにしてもよい。例えば、電源オフ後のスタンバイ中に全チャンネルをスキャンして番組情報を取得したり、深夜などに定時スキャンを実施して番組情報を取得したりしてもよい。地上ディジタル放送は、視聴時に各チャンネル（放送局）でしか情報を取得できないため、定期的に全チャンネルをスキャンすることで番組情報の未取得状態を減少させることができる。
【００７４】
また、上記実施形態では、Ｄ１領域の番組表でフォーカスされている番組を提供する放送局について、放送日枠に番組の取得状況を表示するようにしているが、特定の放送局ではなく、放送日ごとの全放送局の取得状況を総合して示すようにしてもよい。或いは、現在表示されている番組表において表示されている時間帯に対応する番組情報の取得状況をＥＰＧ上の放送日枠に表示させるようにしてもよい。
【００７５】
また、上記実施形態では、本発明をＨＤＤレコーダに適用した例について説明したが、ディジタル放送信号を受信可能で、この放送信号に含まれる番組情報に基づいて電子番組ガイドを提示可能なディジタル放送受信装置全般に適用することができる。例えば、例えば、ディジタルテレビジョン放送受像機やセット・トップ・ボックスなどの各種ＡＶ（オーディオビジュアル）装置に適用することができる。
【図面の簡単な説明】
【００７６】
【図１】本発明に係るディジタル放送受信装置としてのＨＤＤレコーダ１０の全体構成を示すブロック図である。
【図２】入力部２０としてのリモコン装置の概観図である。
【図３】本実施形態のＨＤＤレコーダ１０において表示される電子番組ガイドの一例である。
【図４】電子番組ガイドにおいて放送予定の番組が選択されたときの表示例である。
【図５】電子番組ガイドにおいて過去に放送された番組が選択されたときの表示例である。
【符号の説明】
【００７７】
１０  ＨＤＤレコーダ（ディジタル放送受信装置）
１１  アンテナ
１２  受信部（チューナ）
１３  信号復調部
１４  データ分離部
１５  デコード部
１６  ＥＰＧ生成部
１７  多重化部（ＯＳＤ部）
１８  番組情報記憶部
１９  番組コンテンツ記憶部
２０  入力部（リモコン装置）
２１  制御部（ＥＰＧ表示制御手段）
【図１】
2008199343.tif 000003
【図２】
2008199343.tif 000004
【図３】
2008199343.tif 000005
【図４】
2008199343.tif 000006
【図５】
2008199343.tif 000007